(57)【要約】【課題】  多機能体外衝撃波による正確で迅速な操作が可能な結石破砕機構造を提供する。【解決手段】  主に伝動ギア左側には弧状ギアチェーンを係合設置し、弧状ギアチェーン下側には弧状歯車板を固定設置する。弧状歯車板一端には鳩尾台固定横板を固定設置し、鳩尾台固定横板左側には鳩尾台を設置する。鳩尾台左側には鳩尾槽を係合設置し、鳩尾槽左側には鳩尾槽固定横板を固定設置し、鳩尾槽固定横板左側にはナット導入式垂直移動ユニットを固定設置する。上記各構造の結合対応により、該ナット導入式垂直移動ユニット上に係合設置する超音波ヘッドは上下左右移動及び弧状経路の移動を行い、人体の腎臓結石位置を正確に探査し、さらに、自動化双定位サーバ移動式ベッドにより衝撃波発射機の腎臓結石を破砕するための衝撃波焦点に患者を移動させ、正確に治療する。【選択図】図２
0003102607.tif 000002
【実用新案登録請求の範囲】
【請求項１】
主に、自動化双定位サーバ移動式ベッド、超音波ヘッド、衝撃波発射機、Ｘ線放射器、超音波モニタスクリーン、超音波ヘッド収納ラック、伝動ギア、弧状歯車板、鳩尾台固定横板、鳩尾台、鳩尾槽固定横板、鳩尾槽、固定台、ナット導入式垂直移動ユニット、超音波ヘッド固定台、導入ナット、超音波ヘッド接続線、弧状ギアチェーンにより構成され、
該伝動ギア左側には該弧状ギアチェーンを係合設置し、該弧状ギアチェーン下側には該弧状歯車板を固定設置し、これにより、該伝動ギアは転動し、該弧状ギアチェーンを連動し、該弧状歯車板は人体の曲線に合わせ弧状経路の移動が可能であり、
さらに、該弧状歯車板一端には該鳩尾台固定横板を固定設置し、該鳩尾台固定横板左側には該鳩尾台を設置し、該鳩尾台左側には該鳩尾槽を係合設置し、かつ、該鳩尾槽左側には該鳩尾槽固定横板を固定設置し、こうして該鳩尾台と該鳩尾槽の対応により、該鳩尾槽固定横板の左右移動機能を可能とし、
また、該鳩尾槽固定横板左側には該ナット導入式垂直移動ユニットを固定設置し、該ナット導入式垂直移動ユニット内には該導入ナットを設置し、該導入ナット外縁には該超音波ヘッド固定台を嵌設し、これにより該導入ナットの転動により該超音波ヘッド固定台の上下移動機能を有し、
さらに、該超音波ヘッド固定台内には該超音波ヘッドを係合設置し、こうして腎臓結石の位置を探査し、該超音波ヘッド上側には該衝撃波発射機を設置し、これにより該衝撃波発射機は腎臓結石破砕機能を可能とし、かつ該衝撃波発射機上方にはＸ線放射器を設置し、該Ｘ線放射器前側には該自動化双定位サーバ移動式ベッドを設置し、こうして該自動化双定位サーバ移動式ベッドの上下左右移動を可能とし、患者を迅速に移動しながら該衝撃波発射機は腎臓結石を破砕するために衝撃波の焦点を合わせることができることを特徴とする多機能体外衝撃波による結石破砕機構造。
【考案の詳細な説明】
【技術分野】
【０００１】
本考案は、一種の多機能体外衝撃波による結石破砕機構造の技術分野に属する。
【背景技術】
【０００２】
公知の体外衝撃波の結石破砕機は、例えば、特許文献１に開示されているように腎臓内の結石を破砕し、腎臓結石治療の機能を達成するものである。
しかし、該定位ユニットは超音波ヘッドＢと衝撃波発射機Ｃを一体に固定(図１を参照)するものであるため、操作の際の 定位時に、移動の死角が発生し易い。そのため、定位偏差を招き、治療の正確性に影響を及ぼす。また、該衝撃波発射機Ｃは移動装置であるため、該衝撃波発射機Ｃ内の液体は揺れにより外に漏れ易い。
これによっても、衝撃波の伝達と照準の正確性に悪影響が及び、さらに、該衝撃波発射機Cの水路接続管と高圧導線は、頻繁な移動により湾曲し、破裂、脱落減少が起こり液漏れが発生し易いため、しばしば修理の必要があり、コストが嵩むという問題点があった。
【特許文献１】特公平６−２６５４９号公報
【考案の開示】
【考案が解決しようとする課題】
【０００３】
公知構造の以下の欠点があった。
１．定位ユニットは超音波ヘッド及び衝撃波発射機を一体固定するため、定位時に、移動の死角が生じ易く、定位偏差を生じ、正常な器官に衝撃波を発射するなどの恐れもあり、治療の正確性に悪影響を及ぼす。
２．衝撃波発射機は移動装置であるため、衝撃波発射機内の液体は揺れにより外に漏れ易い。これによっても、衝撃波の伝達と照準の正確性に悪影響が及ぶ。
３．該衝撃波発射機の水路接続管と高圧導線は、頻繁な移動により湾曲し、破裂、脱落減少が起こり液漏れが発生し易いため、しばしば修理の必要があり、コストが嵩む。
本考案は、上記公知構造の問題点を解決した多機能体外衝撃波による結石破砕機構造の提供するものである。
【課題を解決するための手段】
【０００４】
上記課題を解決するため、本考案は下記の多機能体外衝撃波結石破砕機構造を提供する。
それは主に伝動ギア、弧状ギアチェーン、弧状歯車板、鳩尾台固定横板、鳩尾台、鳩尾槽固定横板、鳩尾槽、ナット導入式垂直移動ユニットを連結し構成する。
該ナット導入式垂直移動ユニット上に係合設置する超音波ヘッドは上下左右移動及び弧状経路の移動を行い、人体の腎臓結石位置を正確に探査することができる。さらに、自動化双定位サーバ移動式ベッドにより衝撃波発射機の腎臓結石を破砕するための衝撃波焦点に患者を移動させ、正確に治療することができる。これらにＸ線放射器の使用を組合せ、正確かつ迅速な定位を実現し、定位が不正確であるための誤発射などの二次障害を防止することができる。
すなわち、本考案は、主に、自動化双定位サーバ移動式ベッド、超音波ヘッド、衝撃波発射機、Ｘ線放射器、超音波モニタスクリーン、超音波ヘッド収納ラック、伝動ギア、弧状歯車板、鳩尾台固定横板、鳩尾台、鳩尾槽固定横板、鳩尾槽、固定台、ナット導入式垂直移動ユニット、超音波ヘッド固定台、導入ナット、超音波ヘッド接続線、弧状ギアチェーンにより構成され、
該伝動ギア左側には該弧状ギアチェーンを係合設置し、該弧状ギアチェーン下側には該弧状歯車板を固定設置し、これにより、該伝動ギアは転動し、該弧状ギアチェーンを連動し、該弧状歯車板は人体の曲線に合わせ弧状経路の移動が可能であり、
さらに、該弧状歯車板一端には該鳩尾台固定横板を固定設置し、該鳩尾台固定横板左側には該鳩尾台を設置し、該鳩尾台左側には該鳩尾槽を係合設置し、かつ、該鳩尾槽左側には該鳩尾槽固定横板を固定設置し、こうして該鳩尾台と該鳩尾槽の対応により、該鳩尾槽固定横板の左右移動機能を可能とし、また、該鳩尾槽固定横板左側には該ナット導入式垂直移動ユニットを固定設置し、該ナット導入式垂直移動ユニット内には該導入ナットを設置し、該導入ナット外縁には該超音波ヘッド固定台を嵌設し、これにより該導入ナットの転動により該超音波ヘッド固定台の上下移動機能を有し、
さらに、該超音波ヘッド固定台内には該超音波ヘッドを係合設置し、こうして腎臓結石の位置を探査し、該超音波ヘッド上側には該衝撃波発射機を設置し、これにより該衝撃波発射機は腎臓結石破砕機能を可能し、かつ該衝撃波発射機上方にはＸ線放射器を設置し、該Ｘ線放射器前側には該自動化双定位サーバ移動式ベッドを設置し、こうして該自動化双定位サーバ移動式ベッドの上下左右移動を可能とし、患者を迅速に移動しながら該衝撃波発射機は腎臓結石を破砕するために衝撃波の焦点を合わせることができることを特徴とする多機能体外衝撃波による結石破砕機構造である。
【考案の効果】
【０００５】
上記のように、本考案は、治療の実施時に、超音波ヘッドは上下左右及び弧状経路の移動を達成し、超音波モニタスクリーンの機能を対応させ、人体脊椎両側の腎臓結石位置を正確に探査、測定することができる。さらに、自動化双定位サーバ移動式ベッドにより患者を移動させ、衝撃波発射機は腎臓結石の衝撃波焦点位置を破砕するため、治療の実施に当たり、正確、迅速な定位を達成し、定位が不正確で時間が長すぎるための誤発射や放射線などにより二次障害を防止することができる。
また、超音波定位構造の軌道を縮小、単純化するため、材料コストを節減し、空間を有効活用することができる。加えて、Ｘ線放射器を合わせて西洋することにより、正確で迅速な定位を実現することができるといった効果が得られる。
【考案を実施するための最良の形態】
【０００６】
本考案の好適な実施例を図に沿って説明する。
図２、３に示すように、本考案の実施例は、自動化双定位サーバ移動式ベッド２、超音波ヘッド３、衝撃波発射機４、Ｘ線放射器５、超音波モニタスクリーン６、超音波ヘッド収納ラック７、伝動ギア８、弧状歯車板９、鳩尾台固定横板１０、鳩尾台１１、鳩尾槽固定横板１２、鳩尾槽１３、固定台１４、ナット導入式垂直移動ユニット１５、超音波ヘッド固定台１６、導入ナット１７、超音波ヘッド接続線１８、弧状ギアチェーン１９により構成される。
【０００７】
そして、前記伝動ギア８の左側には該弧状ギアチェーン１９を係合設置し、該弧状ギアチェーン１９下側には該弧状歯車板９を固定設置する。これにより、該伝動ギア８は転動し、該弧状ギアチェーン１９を連動し、該弧状歯車板９は人体の曲線に合わせ弧状経路の移動を達成することができる(図４参照)。さらに、該弧状歯車板９一端には該鳩尾台固定横板１０を固定設置し、該鳩尾台固定横板１０左側には該鳩尾台１１を設置する。該鳩尾台１１左側には該鳩尾槽１３を係合設置し、かつ該鳩尾槽１３左側には該鳩尾槽固定横板１２を固定設置する。こうして該鳩尾台１１と該鳩尾槽１３の対応により、該鳩尾槽固定横板１２の左右移動機能を達成することができる。
さらに、該鳩尾槽固定横板１２左側には該ナット導入式垂直移動ユニット１５を固定設置し、該ナット導入式垂直移動ユニット１５内には該導入ナット１７を設置する。該導入ナット１７外縁には該超音波ヘッド固定台１６を嵌設し、これにより該導入ナット１７の転動により該超音波ヘッド固定台１６の上下移動機能を達成する。
また、該超音波ヘッド固定台１６内には該超音波ヘッド３を係合設置し、こうして腎臓結石の位置を探査する。該超音波ヘッド３上側には該衝撃波発射機４を設置し、これにより該衝撃波発射機４は腎臓結石破砕機能を達成し、かつ該衝撃波発射機４上方にはＸ線放射器５を設置し、該Ｘ線放射器５前側には該自動化双定位サーバ移動式ベッド２を設置し、こうして該自動化双定位サーバ移動式ベッド２の上下左右移動(図５参照)を達成し、該衝撃波発射機４が腎臓結石を破砕するため発射する衝撃波の焦点位置に患者を迅速に移動させることができる。
【０００８】
治療時には、上記各ユニットの連結対応により、該ナット導入式垂直移動ユニット１５上に係合設置される超音波ヘッド３は上下左右及び弧状経路の移動を達成し、該超音波モニタスクリーン６の機能を対応させ、人体２０脊椎２３両側の腎臓２１、２２の結石２４位置を正確に探査、測定する(図６参照)。続いて、該自動化双定位サーバ移動式ベッド２により患者を移動させ、該衝撃波発射機４は該腎臓２１、２２の結石２４の衝撃波焦点位置を破砕する。治療の実施に当たり、正確、迅速な定位を達成し、定位が不正確で時間が長すぎるための誤発射や放射線などにより二次障害を防止することができる。
【０００９】
該超音波ヘッド３は該超音波ヘッド接続線１８により、該超音波モニタスクリーン６片側の超音波ヘッド収納ラック７から該超音波ヘッド固定台１６内に移動しその上に係合し、さらに、該Ｘ線放射器５を合わせて使用し、正確で迅速な定位を実現する。
【図面の簡単な説明】
【００１０】
【図１】公知の超音波ヘッドと衝撃波発射機の位置図である。
【図２】本考案の実施例の立体組合せ図である。
【図３】本考案の実施例の部分立体分解図である。
【図４】本考案の実施例の移動ユニットの作動指示図である。
【図５】本考案の実施例の自動化双定位サーバ移動式ベッドの作動図である。
【図６】本考案の実施例の使用説明図である。
【符号の説明】
【００１１】
A  衝撃波体外結石破砕機
B  超音波ヘッド
C  衝撃波発射機
１  衝撃波体外結石破砕機
２  自動化双定位サーバ移動式ベッド
３  超音波ヘッド
４  衝撃波発射機
５  Ｘ線放射器
６  超音波モニタスクリーン
７  超音波ヘッド収納ラック
８  伝動ギア
９  弧状歯車板
１０  鳩尾台固定横板
１１  鳩尾台
１２  鳩尾槽固定横板
１３  鳩尾槽
１４  固定台
１５  ナット導入式垂直移動ユニット
１６  超音波ヘッド固定台
１７  導入ナット
１８  超音波ヘッド接続線
１９  弧状ギアチェーン
２０  人体
２１  腎臓
２２  腎臓
２３  脊椎
２４  結石
【図１】
0003102607.tif 000003
【図２】
0003102607.tif 000004
【図３】
0003102607.tif 000005
【図４】
0003102607.tif 000006
【図５】
0003102607.tif 000007
【図６】
0003102607.tif 000008